(57)【要約】【課題】一対の木材間に位置ずれやガタツキが生じるのを抑制することのできる接合金具を提供する。【解決手段】組み合わされる一の木材１Ａの端部側面に重なる接合板１０と、この接合板１０に並べて支持され、組み合わされる他の木材１Ｂを貫通して螺子締めされる一対の第一の通しボルト２０とを備え、接合板１０に一対の螺子孔１１を穿孔して各螺子孔１１には一の木材１Ａを貫通して螺子締めされる第二の通しボルトを着脱自在に螺挿し、接合板１０の表面には、各螺子孔１１を包囲する包囲筒１３を突出形成し、この一対の包囲筒１３を一の木材１Ａに圧入する。一対の木材１をボルトやナットにより締結して接合するだけではなく、一の木材１Ａに接合金具の包囲筒１３を圧入して一体化するので、圧縮作用や引っ張り作用に対する強度を向上させることができる。【選択図】図１
2009167762.tif 000002
【特許請求の範囲】
【請求項１】
組み合わされる一対の木材を複数の締結具を介して接合する接合金具であって、一の木材の周面に重なる接合板と、この接合板に設けられ、他の木材を貫通して螺子締めされる第一の雄螺子具とを備え、接合板に螺子孔を穿孔し、この螺子孔には、一の木材を貫通して螺子締めされる第二の雄螺子具を着脱自在に取り付け、接合板の表面には、螺子孔を包囲する包囲筒を突出形成し、この包囲筒を一の木材に圧入するようにしたことを特徴とする接合金具。
【請求項２】
接合板を略羽子板形に形成した請求項１記載の接合金具。
【請求項３】
接合板と第一の雄螺子具とを一体化した請求項１又は２記載の接合金具。
【請求項４】
接合板の裏面に、第一の雄螺子具を支持する支持螺子筒を形成し、この支持螺子筒の端部には、第一の雄螺子具の斜め方向からの挿入を容易化する切り欠きを形成した請求項１又は２記載の接合金具。
【発明の詳細な説明】
【技術分野】
【０００１】
本発明は、建築物等を建築する際、組み合わせた一対の木材を強固に接合することのできる接合金具に関するものである。
【背景技術】
【０００２】
従来、木造住宅等の建築物を建築する際に組み合わせた一対の木材を接合する場合には、図示しないが、組み合わせた一対の木材に複数の通しボルトを挿通してその露出した端部にナットをそれぞれ螺嵌して接合したり、あるいは組み合わせた一対の木材に複数の通しボルトを専用の接合プレートを介して挿通し、各通しボルトの露出した端部にナットを螺嵌することにより接合するようにしている（特許文献１、２参照）。
【特許文献１】特開２００３‐１０５８６０号公報
【特許文献２】特開２００３‐２６１９９０号公報
【発明の開示】
【発明が解決しようとする課題】
【０００３】
しかしながら、組み合わせた一対の木材に複数の通しボルトを単に挿通してその露出した端部にナットをそれぞれ螺嵌したり、あるいは一対の木材に複数の通しボルトを専用の接合プレートを介して挿通し、各通しボルトの露出した端部にナットを単に螺嵌するだけでは、地震の発生時や台風時に一対の木材間に位置ずれやガタツキが生じ易いという問題がある。
【０００４】
本発明は上記に鑑みなされたもので、一対の木材間に位置ずれやガタツキが生じるのを抑制することのできる接合金具を提供することを目的としている。
【課題を解決するための手段】
【０００５】
本発明においては上記課題を解決するため、組み合わされる一対の木材を複数の締結具を介して接合するものであって、
一の木材の周面に重なる接合板と、この接合板に設けられ、他の木材を貫通して螺子締めされる第一の雄螺子具とを備え、接合板に螺子孔を穿孔し、この螺子孔には、一の木材を貫通して螺子締めされる第二の雄螺子具を着脱自在に取り付け、接合板の表面には、螺子孔を包囲する包囲筒を突出形成し、この包囲筒を一の木材に圧入（圧力を加えて押し込む）するようにしたことを特徴としている。
【０００６】
なお、接合板を、細長い略矩形あるいは略羽子板形に形成することができる。
また、接合板と第一の雄螺子具とを一体化することができる。
また、接合板の裏面に、第一の雄螺子具を支持する支持螺子筒を形成し、この支持螺子筒の端部には、第一の雄螺子具の斜め方向からの挿入を容易化する切り欠きを形成することもできる。
【０００７】
また、一の木材に接合金具の接合板を重ねてその包囲筒を一の木材に圧入し、他の木材に接合金具の第一の雄螺子具を挿し通し、一の木材に第二の雄螺子具を挿し通して接合板の螺子孔に螺子嵌めし、第一、第二の雄螺子具の露出部に雌螺子部材からなる締結具をそれぞれ螺子嵌めして固定することにより、一対の木材を接合しても良い。
【０００８】
さらに、一の木材に接合金具の接合板を重ねてその包囲筒を一の木材の嵌合穴に圧入し、支持螺子筒に第一の雄螺子具を支持させて他の木材に挿し通し、一の木材の貫通孔に第二の雄螺子具を挿し通して接合板の螺子孔に螺子嵌めし、第一、第二の雄螺子具の露出部に雌螺子部材からなる締結具をそれぞれ螺子嵌めして固定することにより、一対の木材を接合しても良い。
【０００９】
ここで、特許請求の範囲における一対の木材は、略Ｌ字形、略Ｔ字形、略Ｖ字形等に組み合わされ、架台や各種の躯体等を構成する。第一の雄螺子具、螺子孔、第二の雄螺子具、包囲筒は、必要に応じて単数複数いずれとすることもできる。この点については、支持螺子筒も同様である。包囲筒は、円筒形が主ではあるが、楕円形、矩形、多角形等の筒形でも良い。
【００１０】
本発明によれば、一対の木材を接合金具の接合板から伸びる第一、第二の雄螺子具により接合し、しかも、一の木材に接合板から突出した包囲筒を埋没させるので、圧縮作用や引っ張り作用に対する強度を向上させることができる。
【発明の効果】
【００１１】
本発明によれば、一対の木材間に位置ずれやガタツキが生じるのを抑制することができるという効果がある。
また、接合板を単なる矩形ではなく、略羽子板形に形成すれば、一の木材における接合板の占有面積を拡大することができるので、一の木材に接合板を従来よりも強固に接触させることができる。
【００１２】
また、接合板の端部と第一の雄螺子具とを一体化すれば、第一の雄螺子具の管理が容易となり、部品紛失のおそれが少ない。
さらに、接合板の裏面に、第一の雄螺子具を支持する支持螺子筒を形成し、この支持螺子筒の端部には、第一の雄螺子具の挿入を容易化する切り欠きを形成すれば、支持螺子筒に第一の雄螺子具を傾けて円滑に取り付けることができ、接合作業の作業性向上が期待できる。
【発明を実施するための最良の形態】
【００１３】
以下、図面を参照して本発明の好ましい実施の形態を説明すると、本実施形態における接合金具は、図１ないし図３に示すように、木造住宅等からなる建築物の建築時に水平に組み合わされる一対の木材１中、一の木材１Ａの端部側面に重なる接合板１０と、この接合板１０に並べて支持され、組み合わされる他の木材１Ｂを貫通して螺子締めされる一対の第一の通しボルト２０とを備えるようにしている。
【００１４】
一対の木材１は、例えばヒノキ、スギ、ヒバ、クリ、針葉樹集成材等からなり、必要に応じて長さ、太さ、幅等が変更されており、角張った一の木材１Ａの端部端面が角張った他の木材１Ｂの側面に直角に接触して接合される。他の木材１Ｂは、図２に示すように、必要に応じ支柱２上に締結具を介し横架材として支持されるが、この際、支柱２の側面に一の木材１Ａの端部端面が接触する。
【００１５】
接合板１０は、図１ないし図３に示すように、所定の材料（例えば鋼材、銅、アルミ合金等）を使用して平坦な平面略羽子板形に形成され、先端部が一の木材１Ａの長手方向に指向するとともに、狭まった末端部が他の木材１Ｂ方向に指向する。この接合板１０は、一の木材１Ａの端部側面の幅よりもやや狭い幅とされ、両側部には丸い一対の螺子孔１１が長手方向にずれて穿孔されており、各螺子孔１１には、一の木材１Ａを貫通する第二の通しボルト１２が着脱自在に螺挿される。この第二の通しボルト１２の一の木材１Ａを貫通して露出する端部には固定用の雌螺子部材であるナットが螺嵌される。
【００１６】
接合板１０の表面両側部には同図に示すように、各螺子孔１１を間隔をおいて包囲する包囲筒１３が同心円の円筒形に突出形成され、この一対の包囲筒１３が一の木材１Ａにそれぞれ圧入して位置ずれを防止するよう機能する。この場合、一の木材１Ａの端部側面には、包囲筒１３用の一対の嵌合穴が予め穿孔され、各嵌合穴が一の木材１Ａに穿孔された第二の通しボルト１２用の貫通孔の端部と一体化される。
【００１７】
一対の第一の通しボルト２０は、接合板１０の末端部に所定の間隔をおいて一体的に溶着支持され、他の木材１Ｂ方向に伸びており、他の木材１Ｂをそれぞれ貫通する。各第一の通しボルト２０の他の木材１Ｂを貫通して露出する端部には固定用の雌螺子部材であるナットが螺嵌される。
【００１８】
上記構成において、組み合わされる一対の木材１を接合する場合には、先ず、一の木材１Ａの端部側面に接合金具の接合板１０を横に寝かせた状態で重ね、この接合板１０の包囲筒１３を一の木材１Ａの嵌合穴に圧入し、他の木材１Ｂに接合金具から伸びる第一の通しボルト２０を水平に挿通する。こうして他の木材１Ｂに第一の通しボルト２０を挿通したら、一の木材１Ａの貫通孔に第二の通しボルト１２を水平に挿通して接合板１０の螺子孔１１に螺挿した後、第一、第二の通しボルト２０・１２の露出した端部にナットをそれぞれ螺嵌して固定すれば、一対の木材１を接合金具により強固に接合することができる。
【００１９】
上記構成によれば、一対の木材１をボルトやナットにより締結して接合するだけではなく、一の木材１Ａに接合金具の包囲筒１３を圧入して一体化するので、圧縮作用や引っ張り作用に対する強度を著しく向上させることができる。したがって、地震の発生時や台風時に一対の木材１間や一の木材１Ａに位置ずれやガタツキが生じるのをきわめて有効に抑制防止することができ、これを通じて一対の木材１の変形防止を図ることができる。
【００２０】
また、包囲筒１３が円筒形で外周面が何ら角張っていないので、一の木材１Ａを損傷させることが実に少ない。また、接合板１０が占有面積の広い幅広の略羽子板形なので、一の木材１Ａに接合金具の接合板１０を強固に圧接することが可能になる。さらに、接合板１０の末端部と一対の第一の通しボルト２０とを一体化したので、第一の通しボルト２０の管理が容易となり、個別管理に伴う部品紛失のおそれが実に少ない。
【００２１】
次に、図４ないし図６は本発明の第２の実施形態を示すもので、この場合には、接合板１０の裏面末端部の中央に、第一の通しボルト２０を着脱自在に螺挿支持する支持螺子筒１４を一体形成し、この支持螺子筒１４の表面末端部には、第一の通しボルト２０の斜め上方向からの挿入を容易化する切り欠き１５を長手方向に形成するようにしている。この切り欠き１５は、図４や図５に示すように、平面視で細長い矩形に形成され、かつ側面視で半円弧形に湾曲形成される。
【００２２】
上記構成において、組み合わされる一対の木材１を接合するには、先ず、一の木材１Ａの端部側面に接合金具の接合板１０を重ねてその包囲筒１３を一の木材１Ａの嵌合穴に圧入し、支持螺子筒１４内に第一の通しボルト２０を螺挿して他の木材１Ｂに水平に挿通する。
【００２３】
他の木材１Ｂに第一の通しボルト２０を挿通したら、一の木材１Ａの貫通孔に第二の通しボルト１２を水平に挿通して接合板１０の螺子孔１１に螺挿した後、第一、第二の通しボルト２０・１２の露出した端部にナットをそれぞれ螺嵌して固定すれば、一対の木材１を接合金具により強固に接合することができる。その他の部分については、上記実施形態と同様であるので説明を省略する。
【００２４】
本実施形態においても上記実施形態と同様の作用効果が期待でき、しかも、接合板１０と第一の通しボルト２０とを別部品とするので、他の木材１Ｂに対する第一の通しボルト２０の挿通が困難な場合に便宜を図ることができるのは明らかである。また、支持螺子筒１４の表面末端部に切り欠き１５を形成するので、他の木材１Ｂが作業の障害となり、支持螺子筒１４に対して第一の通しボルト２０を水平横方向から挿通することが難しい場合に、支持螺子筒１４に第一の通しボルト２０を傾けて円滑に挿通することができ、作業性の大幅な向上が期待できる。
【００２５】
次に、図７ないし図９は本発明の第３の実施形態を示すもので、この場合には、接合板１０を細長い平坦な平面略矩形に形成し、第一の通しボルト２０、螺子孔１１、第二の通しボルト１２、包囲筒１３の数を減少させるようにしている。接合板１０は、一の木材１Ａの端部側面の幅よりも狭い幅に形成される。その他の部分については、上記実施形態と同様であるので説明を省略する。
【００２６】
本実施形態においても上記実施形態と同様の作用効果が期待でき、しかも、接合金具の形状や構成を必要に応じて変更することができるので、接合金具の種類の多様化や構成の簡素化を図ることができるのは明らかである。
【００２７】
次に、図１０は本発明の第４の実施形態を示すもので、この場合には、第３の実施形態の接合板１０における裏面末端部の中央に、第一の通しボルト２０を着脱自在に螺挿支持する支持螺子筒１４を一体形成し、この支持螺子筒１４の表面末端部には、第一の通しボルト２０の斜め上方向からの挿入を容易化する切り欠き１５を長手方向に形成するようにしている。その他の部分については、上記実施形態と同様であるので説明を省略する。
【００２８】
本実施形態においても上記実施形態と同様の作用効果が期待でき、しかも、接合金具の種類の多様化を図ることができるのは明白である。
【００２９】
なお、上記実施形態では一対の木材１を水平に組み合わせたが、何らこれに限定されるものではなく、垂直等に組み合わせても良い。また、接合金具の表裏全面にクロームメッキ処理等を施して耐磨耗性や耐食性等を向上させても良い。また、接合板１０の末端部に袋部を形成し、この袋部に第一の通しボルト２０を支持させても良い。さらに、支持螺子筒１４の表面先端部側は、閉塞していても良いし、開口していても良い。
【図面の簡単な説明】
【００３０】
【図１】本発明に係る接合金具の実施形態を模式的に示す斜視説明図である。
【図２】本発明に係る接合金具の実施形態を模式的に示す他の斜視説明図である。
【図３】本発明に係る接合金具の実施形態を模式的に示す裏面説明図である。
【図４】本発明に係る接合金具の第２の実施形態を模式的に示す平面説明図である。
【図５】図４の側面図である。
【図６】図４の端面図である。
【図７】本発明に係る接合金具の第３の実施形態を模式的に示す斜視説明図である。
【図８】本発明に係る接合金具の第３の実施形態を模式的に示す他の斜視説明図である。
【図９】本発明に係る接合金具の第３の実施形態を模式的に示す裏面説明図である。
【図１０】本発明に係る接合金具の第４の実施形態を模式的に示す斜視説明図である。
【符号の説明】
【００３１】
１        木材
１Ａ      一の木材
１Ｂ      木材
２        支柱
１０      接合板
１１      螺子孔
１２      第二の通しボルト（第二の雄螺子具）
１３      包囲筒
１４      支持螺子筒
１５      切り欠き
２０      第一の通しボルト（第一の雄螺子具）
【図１】
2009167762.tif 000003
【図２】
2009167762.tif 000004
【図３】
2009167762.tif 000005
【図４】
2009167762.tif 000006
【図５】
2009167762.tif 000007
【図６】
2009167762.tif 000008
【図７】
2009167762.tif 000009
【図８】
2009167762.tif 000010
【図９】
2009167762.tif 000011
【図１０】
2009167762.tif 000012